(57)【特許請求の範囲】
【請求項１】
各種電装品と別の各種電装品とを中継接続する中継基板と、前記中継基板を保持する中継基板保持部とを備えたパチンコ遊技機において、
前記中継基板は、
前記中継基板保持部に保持される電気絶縁基板と、
前記電気絶縁基板の表面に突出する複数本の電気接続端子からなり、前記各種電装品から導出した第１ハーネスの端末に設けたメス型の第１コネクタ用ソケットが接続されるオス型の第１コネクタ用ヘッダと、
前記電気絶縁基板の表面に突出する複数本の電気接続端子からなり、前記第１コネクタ用ヘッダと所要間隔だけ離間して設けられて、前記別の各種電装品から導出された第２ハーネスの端末に設けたメス型の第２コネクタ用ソケットが接続されるオス型の第２コネクタ用ヘッダと、
前記第１コネクタ用ヘッダの各電気接続端子および前記第２コネクタ用ヘッダの各電気接続端子を前記電気絶縁基板の裏面で対応的に接続する複数本の電導路とを備え、
前記中継基板保持部は、前記中継基板が端部から挿入するのを許容すると共に該中継基板を保持する矩形状凹部を備え、
前記矩形状凹部は、
前記矩形状凹部の底面に設けられ、前記中継基板の裏面位置を規制する裏側位置規制片と、
前記矩形状凹部の底面から離間する位置に該矩形状凹部の内側へ張り出すように設けられ、前記裏側位置規制片との間に前記中継基板が挿入されるのを許容すると共に該中継基板の表面位置を規制する表側位置規制片と、
前記矩形状凹部の底面に撓曲自在に設けられ、前記中継基板における挿入方向の後端部に係脱自在に係着する後方側位置規制片と、
前記矩形状凹部に対する前記中継基板の挿入に際して該中継基板の挿入前端部に当接し、該中継基板を前記裏側位置規制片と表側位置規制片との間に案内するテーパとを備え、
前記矩形状凹部に挿入された前記中継基板は、裏側位置規制片による裏面の規制、表側位置規制片による表面の規制および後方側位置規制片による後端部の規制がなされる
ことを特徴とするパチンコ遊技機。
【請求項２】
前記テーパは、前記表側位置規制片における前記中継基板の挿入部側の端部に、該中継基板の挿入方向に対して表側から裏側へ傾斜するよう形成され、
前記テーパで案内された前記中継基板を、前記表側位置規制片および裏側位置規制片で表裏方向から案内しながら矩形状凹部へ押込むよう構成した請求項１記載のパチンコ遊技機。
【請求項３】
前記電装品はランプ用中継基板であり、前記電装品は払出しＬＥＤ基板である請求項１または２記載のパチンコ遊技機。
【発明の詳細な説明】
【０００１】
【発明の属する技術分野】
この発明は、パチンコ遊技機に関し、更に詳しくは、各種制御基板を電気的に接続するハーネスが接続される１対のコネクタ用ヘッダを備えた中継基板を、中継基板保持部に保持するようにしたパチンコ遊技機に関するものである。
【０００２】
【従来の技術】
パチンコ機やアレンジボール機に代表されるこの種の遊技機では、遊技操作に基づく球送り装置と打球発射装置との関連作動により、上球皿に払出された遊技用パチンコ球(遊技球)が１球づつ遊技盤の遊技領域内に打込まれ、この遊技領域内の遊技球が、アウト口に入ったアウト球と、各種入賞口に入った入賞口(セーフ球)とに区分される。そして機構セット盤においてアウト球が排出路から処理される一方、ゲーム中の入賞条件(セーフ球の発生や入球による図柄組合わせの得点成立等)により、該セット盤の上方に形成した球貯留排出経路部内に貯留されている球が、賞球払出装置の払出し作動毎に所定数の賞球として給送されて、所定の賞球路から上球皿あるいは下球皿へ払出されるようになっている。また前記機構セット盤においては、所定部位に主制御部が配設されると共に、該主制御部に対してパチンコ機の各構成部を制御をする各種制御基板が電気的に相互接続されている。
【０００３】
【発明が解決しようとする課題】
前記各種制御基板は、前記主制御部に対してコネクタを端部に配設したハーネスを介して機構セット盤内の空中で連結されている。このため製造ラインにおける組付け時の配線作業や、現場でのメンテナンスに際して前枠等を外枠から離脱させた後の組戻しにおいて、誤配線する原因となっている。また機構セット盤内の下方に配置される払出制御部や、ランプ類の点灯等を制御するランプ制御部に接続されるハーネスが一般的に長くなり、結果的に配線途中に弛みが生じ易いため、前枠を開閉する際に該ハーネスを回動支持部近傍で挟んだり、作業時に途中でハーネスを引っ掛けてしまうと云った問題が生じていた。更に機構セット盤の裏側から表側に掛けてハーネスが配線されていたため、前記組付けやメンテナンス等での作業に対して困難を覚えることもある。
【０００４】
【発明の目的】
本発明は、前述した従来の技術に内在している前記課題に鑑み、これを好適に解決するべく提案されたものであって、各種電装品を電気的に接続するハーネスを、１対のコネクタ用ヘッダを設けた中継基板を介して相互に接続することで、該ハーネスの不要な弛みを防止すると共に、作業性の向上とレイアウトの自由度を高めるようにしたパチンコ遊技機の中継基板を提供することを目的とする。
【０００５】
【課題を解決するための手段】
前述した課題を克服し、所期の目的を好適に達成するため、本発明に係るパチンコ遊技機は、
各種電装品(61)と別の各種電装品(61)とを中継接続する中継基板(48)と、前記中継基板(48)を保持する中継基板保持部(46)とを備えたパチンコ遊技機において、
前記中継基板(48)は、
前記中継基板保持部(46)に保持される電気絶縁基板(49)と、
前記電気絶縁基板(49)の表面に突出する複数本の電気接続端子(51)からなり、前記各種電装品(61)から導出した第１ハーネス(63)の端末に設けたメス型の第１コネクタ用ソケット(65)が接続されるオス型の第１コネクタ用ヘッダ(53)と、
前記電気絶縁基板(49)の表面に突出する複数本の電気接続端子(55)からなり、前記第１コネクタ用ヘッダ(53)と所要間隔だけ離間して設けられて、前記別の各種電装品(61)から導出された第２ハーネス(67)の端末に設けたメス型の第２コネクタ用ソケット(69)が接続されるオス型の第２コネクタ用ヘッダ(57)と、
前記第１コネクタ用ヘッダ(53)の各電気接続端子(51)および前記第２コネクタ用ヘッダ(57)の各電気接続端子(55)を前記電気絶縁基板(49)の裏面で対応的に接続する複数本の電導路(59)とを備え、
前記中継基板保持部(46)は、前記中継基板(48)が端部から挿入するのを許容すると共に該中継基板(48)を保持する矩形状凹部(120)を備え、
前記矩形状凹部(120)は、
前記矩形状凹部(120)の底面に設けられ、前記中継基板(48)の裏面位置を規制する裏側位置規制片(126)と、
前記矩形状凹部(120)の底面から離間する位置に該矩形状凹部(120)の内側へ張り出すように設けられ、前記裏側位置規制片(126)との間に前記中継基板(48)が挿入されるのを許容すると共に該中継基板(48)の表面位置を規制する表側位置規制片(124)と、
前記矩形状凹部(120)の底面に撓曲自在に設けられ、前記中継基板(48)における挿入方向の後端部に係脱自在に係着する後方側位置規制片(128)と、
前記矩形状凹部(120)に対する前記中継基板(48)の挿入に際して該中継基板(48)の挿入前端部に当接し、該中継基板(48)を前記裏側位置規制片(126)と表側位置規制片(124)との間に案内するテーパ(124a)とを備え、
前記矩形状凹部(120)に挿入された前記中継基板(48)は、裏側位置規制片(126)による裏面の規制、表側位置規制片(124)による表面の規制および後方側位置規制片(128)による後端部の規制がなされることを特徴とする。
【０００６】
【作用】
パチンコ遊技機の裏側の所要位置に、各種電装品から導出した第１コネクタ用ソケットが接続される第１コネクタ用ヘッダおよび別の各種電装品から導出した第２コネクタ用ソケットが接続される第２コネクタ用ヘッダを備えた中継基板を所要数配設し、各ヘッダに対して各種電装品に接続したハーネスのコネクタ用ソケットを夫々接続することで、該ハーネスを空中で接続することなく取回しを容易とし得る。また、中継基板保持部に中継基板を装着するに際しては、中継基板の挿入前端部をテーパに当接させながら該中継基板を押込むことで、中継基板が矩形状凹部に挿入される。そして、矩形状凹部に装着された中継基板は、裏側位置規制片による裏面位置の規制、表側位置規制片による表面位置の規制および後方側位置規制片による後方側の規制がなされた状態で位置決めされる。
【０００７】
【発明の実施の形態】
次に、本発明に係るパチンコ遊技機について、好適な実施例を挙げて添付図面を参照しながら以下詳細に説明する。なお本実施例では、遊技球を１個ずつ遊技盤内に打出して遊技球の入賞ゲーム(アウト球とセーフ球との区分)を展開するタイプにあって、機裏側の貯留球を、入賞成立(セーフ球の発生)に対する賞球と、球貸しシステムを利用した遊技用の貸し球とに区分排出して球皿側へ供給し得るパチンコ機の場合を主に例示する。また実施例において電装品とは、各種電気部品や制御基板等を総称して用いている。
【０００８】
そこで、先ず本実施例の中継基板４８を設けたパチンコ機について、図１を参照して要約説明する。本実施例のパチンコ機１０は、その基本的な概略構成として、固定用の外郭枠とされる外枠１２の開口前面側に、開閉用の搭載枠とされる前枠１４が、連結支持手段および施錠手段等を利用して着脱および開放可能に組付けられている。そして該前枠１４の前面側には、遊技機共通用の構成部材である横開き式のガラス扉１５を組付けた窓枠１６と、このガラス扉１５の下部において窓枠１６に対して着脱および開閉可能に組付けられる開閉セット板の前側にセットされた上球皿１８と、下段に位置する下球皿２０および打球発射装置２２等が組付けられると共に、後面側に、機構セット盤(後述)２４が装備されている。また前枠１４裏側の収容枠体における正面内部に所定範囲で遊技領域を確保した遊技盤(後述)２６が着脱交換可能にセットされている。更に、貸し球の払出し制御に必要とされる球貸しシステム(カード式)は、外枠１２の隣接部位に設置され、各電子制御部とハーネス等を介して電気的に接続されている。
【０００９】
また特別ゲーム等の成立をパチンコ機１０が周囲に知らせる手段として、前記窓枠１６におけるガラス扉１５の上部に報知手段２８が配設される。この報知手段２８は、図１および図２に示すように、発光手段としての表示ランプ３４を配設した右枠飾りランプ基板３０および左枠飾りランプ基板３２で構成され、各ランプ基板３０,３２には、前方に膨出するランプカバー３６が窓枠１６の正面側から配設されている。また各ランプ基板３０,３２は、窓枠１６の裏面に対応する位置に設けたコネクタ３７と、該コネクタ３７を介して相互に接続されるハーネス４０によって電気的に接続されている。また前記遊技盤２６は、図１に示すように、略円形状に湾曲形成したレール５０により囲繞された遊技領域５２の前側において、縦方向の中央よりもやや下方に配設されてセーフ球をスイッチで検出し得る始動入賞具５４と、この始動入賞具５４の直上方に配置され、図柄可変表示装置に組付けた透視表示体(何れも図示せず)が整合すると共に内壁面をメッキ処理した可視表示部分５６を形成した大型装飾部品５８と、風車とも称されて遊技球用の流下方向を任意に変更する電飾案内車６０および普通案内車６２と、始動入賞具５４の直下に設置された前記大型電動式の入賞装置６４と、遊技状態に応じて照射パターンが変更制御される電飾装置６６等を備えている。
【００１０】
前記始動入賞具５４内に配設された図示しない始動スイッチは、各セーフ球の検出毎に前記図柄可変表示装置を１回ずつ作動スタートさせるための始動入力手段として利用される。また入賞装置６４は、図柄可変表示装置の大当り成立時における特別遊技状態として開成作動される大型の入賞装置であって、特別入賞口６８と対をなして配設された扉状の開閉板７０が、後側の電磁ソレノイド(図示せず)に係る駆動設定条件に基づいて、通常の閉成状態から開放状態に変化するようになっている。そして特別入賞口６８の後側内部にセーフ球用のカウントスイッチと、開放作動継続用の特別スイッチ(Ｖスイッチ)が組込まれている(何れも図示せず)。なお入賞装置６４の左右両側に普通入賞口７２が設けられる。
【００１１】
前記前枠１４の下部前側に装備される前記上球皿１８は、前記窓枠１６の下方面域に合わせて開閉および着脱可能に組付けセットされている。この上球皿１８は、図２に示すように基本的な構成として、合成樹脂成形された基本構成部材である箱枠状の外郭体７４と、該外郭体７４の開口内側に嵌合セットされる合成樹脂成形された球皿本体７６とをビス等で組付けし、全体が下面を水平にして両端を曲面状にした流線型状にユニット化されたものであって、この外郭体７４および球皿本体７６の裏面に、横長方形状に合成樹脂成形された開閉支板７８がビス等で取着されて単一化されている。なお開閉支板７８の裏面における左端部近傍には、図１１に示すように、球送りソレノイド８０がビス止めされている。この球送りソレノイド８０は、前記打球発射装置２２側の打球作動とタイミングを合わせて球送り作動を行なう電動制御装置であって、全体がカセット形式に構成されている。更に開閉支板７８の裏面には、球送りソレノイド８０に接続するハーネス４０が、該開閉支板７８の裏面に取付けられた複数の掛止部材(フックあるいはホルダー)８２によって支持されている(図１１参照)。
【００１２】
前述した装置等を制御するには、前記機構セット盤２４の所要位置に配設された各種の制御部(制御基板)を相互に接続することによって好適に達成される。すなわち、前記中継基板４８を備えた機構セット盤２４は、図３に示すように、前記前枠１４の裏側に位置する前記遊技盤２６セット用の保持枠８８の裏側に着脱可能に装備され、該保持枠８８に対応し得る方形サイズに樹脂成形された本体(図示せず)の中央部に遊技盤２６の裏面を点検する窓口９２が開口されると共に、裏カバー９４が開閉および着脱可能に取着されている。この機構セット盤２４には、前枠１４が外枠１２に組付けられる連結支持手段等に近接する位置にターミナル基板(外部接続端子板)９６が配設されると共に、このターミナル基板９６の直下に、該機構セット盤２４の上部に形成された球貯留排出経路部９８と連通する切換え排出装置１００と球払出装置１０２が上下方向に整列して配設され、更にその下方にインターフェースボード１０４が配置されている。
【００１３】
また切換え排出装置１００と球払出装置１０２の横方向には、前記遊技盤２６の背面側に配設される前記裏カバー９４の内部に、ランプ用中継基板１０６を介してランプ制御基板１０８が配設され、その下方に当該パチンコ機１０を総合的に制御する主制御部(主基板)１１０が搭載されている。この主制御部としての主基板１１０の内側には、発射装置制御基板１１２が配設されている。なお前記インターフェースボード１０４の直下には、払出し制御基板１１４および音声制御基板１１８が配置される。そして各制御基板は、該主基板１１０を制御機構の中心として電気的に接続されている(図１３参照)。
【００１４】
前記機構セット盤２４には、前記前枠１４が外枠１２に対して回動する側縁部の上方に、後述する中継基板保持部４６が凹設成形され、この保持部４６に本実施例に係る中継基板４８が着脱可能に配設される。すなわち該中継基板４８は、図４および図５に示す如く、前記中継基板保持部４６(パチンコ遊技機における裏側の所要位置)に配設される電気絶縁基板４９と、その表面に突出する複数本の電気接続端子５１からなる第１コネクタ用ヘッダ５３と、該電気絶縁基板４９の表面に突出する複数本の電気接続端子５５からなり、第１コネクタ用ヘッダ５３と所要間隔だけ離間して設けた第２コネクタ用ヘッダ５７と、第１および第２コネクタ用ヘッダ５３,５７の各電気接続端子５１,５５を電気絶縁基板４９の裏面で対応的に接続する複数本の電導路５９とから構成されている。前記電気絶縁基板４９は、その長手方向の寸法が、中継基板保持部４６における区画壁１２２(後述)が相互に離間する幅より僅かに小さくなるよう設定されている。また第１および第２コネクタ用ヘッダ５３,５７は、何れもコネクタのオス側となっている。なお中継基板４８の裏面側は、各ヘッダ５３,５７を配設する際にハンダ付けされた部位が突出することになるが、中継基板保持部４６の底面部に形成された裏側位置規制片１２６(後述)によって機構セット盤２４と非接触になるよう構成されている。
【００１５】
更に、前記パチンコ機１０に配設した各種電装品６１から導出した第１ハーネス６３の端末に第１コネクタ用ソケット６５が設けられ、図６に示す如く、この第１コネクタ用ソケット６５が前記第１コネクタ用ヘッダ５３に接続されている。また同じく前記パチンコ機１０に配設した各種電装品６１から導出した第２ハーネス６７の端末に第２コネクタ用ソケット６９が設けられ、この第２コネクタ用ソケット６９が前記第２コネクタ用ヘッダ５７に接続されることで、第１ハーネス６３と第２ハーネス６７とを電気的に中継接続し得るよう構成されている。従ってこの場合、第１および第２コネクタ用ソケット６５,６９は何れもコネクタのメス側となる。
【００１６】
前記中継基板保持部４６は、図７および図８に示すように、中継基板４８の挿入方向に対し逆らう方向(図７での機構セット盤２４の右側)に開放する開口７１を備えて該基板４８の挿入を許容する矩形状凹部１２０からなるものである。すなわち該矩形状凹部１２０は、中継基板４８を収容し得る幅寸法のセグメント毎に凹設成形された部分であって、その底面の複数個所に設けられて該基板４８の裏面位置を規制する裏側位置規制片１２６と、矩形状凹部１２０の底面から離間して凹部内に張り出すように設けられて、該中継基板４８の表面位置を規制する上下１対の表側位置規制片１２４,１２４と、同じく矩形状凹部１２０の底面でかつ前記開口７１に臨むよう撓曲自在に設けられ、前記中継基板４８の矩形状凹部１２０への挿入方向の後方側に係脱自在に係合して位置規制する後方側位置規制片１２８とから基本的に形成されている。
【００１７】
前記裏側位置規制片１２６は、矩形状凹部１２０における中継基板４８が挿入される方向の最奥部と、中央部および挿入方向の後方における上下部位に一体成形されており、中継基板４８を中継基板保持部４６に装着した際に、その裏面のハンダ付け部分が矩形状凹部１２０の底面と非接触となる高さ寸法に設定されている。また表側位置規制片１２４は、矩形状凹部１２０を１セグメント毎に区画する区画壁１２２の上端部に形成され、中継基板４８が挿入される方向の最奥部から前記開口７１の近傍まで延在している。なお、表側位置規制片１２４と裏側位置規制片１２６との離間間隔は、中継基板４８の電気絶縁基板４９の厚みより僅かに大きく設定され、両規制片１２４,１２６の間への電気絶縁基板４９の挿入を許容すると共に位置規制し得るよう構成される。
【００１８】
前記後方側位置規制片１２８は、矩形状凹部１２０の底面中央部に形成した裏側位置規制片１２６を挟む上下位置において機構セット盤２４の回動端側(図７の右端側)から他端側に向けて所定長さで平行に形成された一対の切欠１３０,１３０の間に位置し、両切欠１３０,１３０によって表裏方向に撓曲し得るよう構成される。この後方側位置規制片１２８の開放端部は、図９および図１０に示すように、外側に向けて上側から下側に傾斜するテーパ１２８ａを設けた断面略三角形状に成形されている。従って、中継基板保持部４６に中継基板４８を装着する際には、後述する如く、該基板４８の両端部を前記表側位置規制片１２４に係止した状態で挿入し、テーパ１２８ａに当たる時点で後方側位置規制片１２８を押圧しつつ更に押し込むことによって係合支持される。なお中継基板保持部４６は、切換え排出装置１００を挟んで機構セット盤２４の内方に位置する部分にも成形されている。
【００１９】
前記表側位置規制片１２４の開口７１側を指向する後部側(開放端)には、矩形状凹部１２０への中継基板４８の挿入方向に向けて表面側から後面側(矩形状凹部１２０の底面側)に傾斜するテーパ１２４ａ(図１２参照)が形成されている。また矩形状凹部１２０の底面中央部に形成した裏側位置規制片１２６は、表側位置規制片１２４のテーパ１２４ａと協働して中継基板４８の矩形状凹部１２０への挿入を案内する突片としても機能するよう構成される。
【００２０】
図１１に示すように、前記窓枠１６の下部内側において前記上球皿１８に整合する位置に遊技補助盤(遊技補助枠部とも云う)１３２が一体成形されており、この補助盤１３２の左側端部近傍に前記中継基板４８が配設されている。すなわち該遊技補助盤１３２は、その裏側にアウト路(図示せず)が形成される他に、正面左側上部に賞球用の給出口１３４が開口され、またスピーカ１３５を収容したケース体１３６からなり、遊技内容に応じた効果音を発生する効果音発生装置１３７が正面左側に設置されている。また正面右側には、遊技盤２６の前記レール５０に飛翔連絡される発射レール１３８が適宜の傾斜角度で設置され、その傾斜下端部の発射位置に上球皿１８からの遊技球を着座させ得ると共に、前記打球発射装置２２における打球発射部１４０の打球杆１４２を臨ませ得るようになっている。この場合の中継基板４８は、該遊技補助盤１３２に対してビス止めされている。
【００２１】
このような本実施例のパチンコ機１０は、遊技ホール内での設置枠台(通称「島」)の各区画枠内に前記球貸しシステムと共に設置されて縦向きで遊技に供される。この状態において、各列毎の設置枠台の補給設備における配給ユニットから必要時に供給される相当量のパチンコ球を、図３に示すように、前記球貯留排出経路部９８の球タンク１４４内に受入れて整流樋１４６および送出樋１５０に収容しており、パチンコゲーム中に発生したセーフ球に対して所定数の賞球を払出すよう構成されている。一方球貸しシステムでは、整流樋１４６の下流側に配設した貯留球検出用のスイッチ(図示せず)の球有り検出条件において、使用するカードの有効金額内における一定額単位に対して設定数の貸出し制御をなすもので、カードリーダ１５２およびカード挿入口等を有するカードユニット１５４が前記外枠１２の外側に装備されて、前枠１４の裏側下部に設置された前記インターフェースボード１０４にカードリーダ１５２と上球皿側の球貸し操作部等が夫々接続されている。そしてカードリーダ１５２の球貸し判読制御処理条件に応答して前記球払出装置１０２作動されることにより、払出しされた貸し球が上球皿へ供給されるようになっている。
【００２２】
【実施例の作用】
次に、実施例に係るパチンコ遊技機の作用につき、以下説明する。前記中継基板保持部４６に中継基板４８を装着するに際しては、該基板４８の長手方向両端部の表面を前記各表側位置規制片１２４のテーパ１２４ａに当てがうと共に、その裏面を矩形状凹部１２０の中央部に位置する裏側位置規制片１２６に当接し、この状態で中継基板４８を押込むことで該基板４８はテーパ１２４ａおよび中央の裏側位置規制片１２６に案内されつつ矩形状凹部１２０内に挿入される。そして図１２(ａ)に示すように、しかるべき時点で、前記後方側位置規制片１２８の先端部に形成した前記テーパ１２８ａが該基板４８の裏面に当接するが、この状態から中継基板４８を更に押込むことで、該中継基板４８が後方側位置規制片１２８を機構セット盤２４の裏側に僅かに弾性変形させる。この状態を保持したまま更に該中継基板４８を押込むことにより、図１２(ｂ)に示すように、該中継基板４８の挿入先端部が矩形状凹部１２０の最奥部に当接すると共に、挿入他端部が後方側位置規制片１２８に係合支持され、前記矩形状凹部１２０に該中継基板４８が支持固定される。この場合に中継基板４８は、裏側位置規制片１２６による裏面位置の規制、表側位置規制片１２４による表面位置の規制および後方側位置規制片１２８による後方側の規制がなされた状態で位置決めされる。なお、中継基板４８の裏面に形成された電導路５９は、矩形状凹部１２０の底面に接触することなく、また表面側に露出しないので、他部材と接触するおそれはなく、ショートの発生を防止し得る。
【００２３】
また、前記中継基板４８を中継基板保持部４６の矩形状凹部１２０から離脱させる際には、図１２(ｃ)に示す如く、後方側位置規制片１２８を裏側へ撓曲して中継基板４８における後方側の規制を解除することで、該中継基板４８を矩形状凹部１２０から簡単に離脱することができる。すなわち、中継基板４８の故障等の際や取替えや、仕様変更等により別種類(電気接続端子５１,５５の配設数の異なるもの)の中継基板４８との交換を簡単に行ない得る。
【００２４】
前記機構セット盤２４に形成した３基の中継基板保持部４６に対して中継基板４８を夫々装着し、その上方から仮に第１の中継基板、第２の中継基板および第３の中継基板とすると共に、遊技補助盤１３２に配設した前記中継基板４８を第４の中継基板とする。このうち第１の中継基板４８には、図３に示すように、前記電装品６１としてのランプ用中継基板１０６に配設した一方のコネクタ１５８に接続される前記ハーネス４０(第２ハーネス６７)を、該第１の中継基板４８の前記第２コネクタ用ヘッダ５７に対して前記第２コネクタ用ソケット６９を介して接続する。またこの第１の中継基板４８の前記第１コネクタ用ヘッダ５３には、図１３および図１４に示すように、同じく前記電装品６１としての左枠飾りランプ基板３２に接続するハーネス４０(第１ハーネス６３)の一方を前記第１コネクタ用ソケット６５を介して接続する。なお、該左枠飾りランプ基板３２は、該基板３２に配設した別のコネクタ１６０に接続されるハーネス４０を介して前記右枠飾りランプ基板３０に電気的に接続されている。
【００２５】
前記第２の中継基板４８には、前記ランプ用中継基板１０６に配設した他方のコネクタ１５８に接続される別のハーネス４０(第２ハーネス６７)を、該第２の中継基板４８を構成する第２コネクタ用ヘッダ５７に接続する。また第２の中継基板４８の第１コネクタ用ヘッダ５３には、窓枠１６の内側中央の上端部に配設した払出し用のＬＥＤ基板１６２に接続するハーネス４０(第１ハーネス６３)の一方を接続する。更に、インターフェースボード１０４の下方に配設した払出し制御基板１１４に接続されるハーネス４０(第２ハーネス６７)を、図に示すように、第３の中継基板４８における第２コネクタ用ヘッダ５７に接続すると共に、該基板４８の第１コネクタ用ヘッダ５３に、左枠飾りランプ基板３２に隣接配置した貸し球用のＬＥＤ基板１６４に接続するハーネス４０(第１ハーネス６３)の一方を接続する。なお各第１ハーネス６３は、前記ターミナル基板９６の裏側から前記前枠１４における回動支持部の内側を挿通させて配線される。更に、遊技補助盤１３２に配設した第４の中継基板４８の一方のコネクタ１５６には、前記払出し制御基板１１４に接続される前記発射装置制御基板１１２に接続されたハーネス４０の一方を接続し、また他方のコネクタ１５６に、前記球送りソレノイド８０に接続されたハーネス４０の一方を接続する。
【００２６】
前述したように、実施例のパチンコ機１０では、各種電装品６１から導出するハーネス４０を、１対のコネクタ用ヘッダ５３,５７のみを設けた中継基板４８を介して接続するので、中継基板４８を見るだけで接続されている電装品６１を判別し得る。また中継基板４８の表面にコネクタ用ヘッダ５３,５７が設けられているから、該ヘッダ５３,５７に対するコネクタ用ソケット６５,６９の着脱を容易に行なうことができ、製造時の組立て時間を短縮することができる。更に、機構セット盤２４に設けた中継基板保持部４６に対して中継基板４８は簡単に着脱可能であるから、パチンコ機１０を廃棄したりリサイクルに際しては、中継基板４８の分別回収を簡単に行ない得ると共に再利用も可能である。
【００２７】
なお、実施例では、中継基板保持部を機構セット盤に設けたパチンコ機を例示したが、該中継基板保持部の配設位置はセット盤に限定されるものでなく、中継基板を介して接続したい電装品の位置に応じて適宜に設定すればよい。また中継基板のパチンコ機に対する取付形態としては、実施例の中継基板保持部を用いたりネジ止めに限らず、その他適宜の手段により取付けることが可能である。
【００２８】
【発明の効果】
以上説明した如く、本発明に係るパチンコ遊技機では、以下の有益な効果が奏される。
(1)パチンコ遊技機の裏側に設けた中継基板保持部に対して中継基板を簡単に装着することができると共に、中継基板保持部に装着された中継基板は位置規制されながら保持される。
(2)中継基板に１対のコネクタ用ヘッダを配設し、このヘッダに対して各種電装品のハーネスを接続するため、製造ラインにおける配線取付け作業等が容易になる。
(3)故障等の際の基板交換時には、必要な中継基板のみを交換するだけでよいので、複数のハーネスが入り乱れた制御基板全体を取替える無駄がなくなると共に、誤配線を防止できる。
(4)パチンコ遊技機に配設される電装品の数が変更される等の仕様変更に際しては、必要数の中継基板を追加したり不要となった中継基板を取外すだけでよく、拡張性に優れている。
(5)各電装品を接続する配線を短くすることができるので、前枠を開閉する際にハーネスを回動支持部近傍で挟んだり、作業時に途中でハーネスを引っ掛けてしまう問題が解消される。
(6)１対のコネクタ用ヘッダのみ有する中継基板を使用するので、該中継基板の設置場所が特に限定されず、レイアウトの自由度を高めることができる。
(7)中継基板を見るだけで、これに接続されている各種電装品を容易に確認することができる。
(8)中継基板の表面にコネクタ用ヘッダが設けられているから、該ヘッダに対するハーネスのコネクタ用ソケットの着脱を容易に行ない得る。
(9)第１コネクタ用ヘッダの電気接続端子および第２コネクタ用ヘッドの電気接続端子を、電気絶縁基板の裏面に設けた電導路で接続するので、該電導路と外部との接触を避けることができ、ショートの発生を防止し得る。
【図面の簡単な説明】
【図１】本発明の実施例に係る中継基板を設けたパチンコ遊技機を示す正面図である。
【図２】中継基板が装備されるパチンコ遊技機を示す平面図である。
【図３】中継基板を設けたパチンコ遊技機の背面図である。
【図４】中継基板にハーネスを取付ける状態を表わす概略斜視図である。
【図５】中継基板にハーネスを取付ける状態を裏側から表わす概略斜視図である。
【図６】中継基板にハーネスを取付けた状態を表わす概略斜視図である。
【図７】パチンコ遊技機に形成した中継基板保持部を表わす要部斜視図である。
【図８】パチンコ遊技機に形成した中継基板保持部および中継基板を表わす要部正面図および背面図である。
【図９】パチンコ遊技機に形成した中継基板保持部および中継基板を表わす要部斜視図である。
【図１０】パチンコ遊技機に形成した中継基板保持部および中継基板を表わす別の斜視図である。
【図１１】パチンコ遊技機の前枠を示す一部正面図および該前枠に配設される開閉支板の背面図である。
【図１２】中継基板保持部に中継基板を取付ける状態を経時的に表わす要部縦断面図である。
【図１３】パチンコ遊技機に配設される制御基板の配線図である。
【図１４】中継基板に接続したハーネスを窓枠の上方に配線する状態を示す要部背面図である。
【符号の説明】
４６  中継基板保持部
４９  電気絶縁基板
５１  電気接続端子
５３  第１コネクタ用ヘッダ
５５  電気接続端子
５７  第２コネクタ用ヘッダ
５９  電導路
６１  各種電装品
６３  第１ハーネス
６５  第１コネクタ用ソケット
６７  第２ハーネス
６９  第２コネクタ用ソケット
１２０  矩形状凹部
１２４  表側位置規制片
１２４ａ  テーパ
１２６  裏側位置規制片
１２８  後方側位置規制片
１０６  ランプ用中継基板
１６２  払出し用ＬＥＤ基板
【図１】
0004415201.tif 000002
【図２】
0004415201.tif 000003
【図３】
0004415201.tif 000004
【図４】
0004415201.tif 000005
【図５】
0004415201.tif 000006
【図６】
0004415201.tif 000007
【図７】
0004415201.tif 000008
【図８】
0004415201.tif 000009
【図９】
0004415201.tif 000010
【図１０】
0004415201.tif 000011
【図１１】
0004415201.tif 000012
【図１２】
0004415201.tif 000013
【図１３】
0004415201.tif 000014
【図１４】
0004415201.tif 000015